(57)【特許請求の範囲】
【請求項１】
子供乗せ装置本体の両サイドに立設された側面部に架け渡されると共に、前記側面部の前後方向に移動可能又は回転可能に支持される握り部材と、
前記握り部材の両端部にそれぞれ設けられ、前記握り部材を前記側面部に対して移動又は回転しないようにロックする一対のロック手段と、
前記握り部材に設けられ、一対の前記ロック手段のうち一方の前記ロック手段のロックを解除するロック解除部と、
前記ロック解除部によるロック解除を他方の前記ロック手段に伝達する伝達手段と、
を有する位置調整機構。
【請求項２】
前記ロック手段は、
前記側面部及び前記握り部材のいずれか一方に設けられ、前記握り部材の移動又は回転方向に沿って配置された複数の被係止部と、
前記側面部及び前記握り部材の他方に設けられ、前記複数の被係止部のいずれか１つに係止される係止部と、
を備える請求項１に記載の位置調整機構。
【請求項３】
前記ロック解除部は、ロック解除操作により、前記係止部が前記複数の被係止部のいずれか１つに係止されたロックを解除する構成とされている請求項２に記載の位置調整機構。
【請求項４】
前記握り部材には、前記係止部が前記複数の被係止部のいずれか１つに係止されるロック位置の方向に前記ロック解除部を付勢し、前記ロック解除部で前記係止部を固定させる付勢手段が設けられている請求項２又は請求項３に記載の位置調整機構。
【請求項５】
前記ロック解除部は、
前記ロック手段のロック位置で前記係止部と接触して前記係止部を固定する固定部と、
前記係止部が前記複数の被係止部から離脱する方向に移動することを許容する凹状部と、
を備える請求項３に記載の位置調整機構。
【請求項６】
前記係止部は、前記複数の被係止部に係止される係止方向と交差する方向に沿って分割される２つの部材を備えており、前記２つの部材の内部に前記２つの部材を分割させる方向に押す弾性部材が配置されている請求項２から請求項５までのいずれか１項に記載の位置調整機構。
【請求項７】
前記係止部は、前記ロック解除部の側に配置された第１部材と、前記ロック解除部と反対側に配置された第２部材と、に分割されると共に、前記第１部材に形成された第１係止部と、前記第２部材に形成された第２係止部と、を備え、
前記被係止部は、前記第１係止部が係止される第１被係止部と、ロック時に前記第２係止部が係止されると共にロック解除時に前記第２係止部が仮止めされる第２被係止部と、を備える請求項６に記載の位置調整機構。
【請求項８】
前記ロック解除部は、前記握り部材の長手方向の両端部にそれぞれ設けられており、
前記伝達手段は、２つの前記ロック解除部を連結部で連結する構成とされている請求項１から請求項７までのいずれか１項に記載の位置調整機構。
【請求項９】
請求項１から請求項８までのいずれか１項に記載の位置調整機構を備えた子供乗せ装置。
【請求項１０】
二輪車本体に請求項９に記載の子供乗せ装置が取り付けられている二輪車。
【発明の詳細な説明】
【技術分野】
【０００１】
本発明は、位置調整機構、位置調整機構を備えた子供乗せ装置及び二輪車に関する。
【背景技術】
【０００２】
従来、自転車等に取り付けられる子供用座席装置では、座席部の前方側に子供が握ることができるハンドルを備えたものが知られている。
【０００３】
下記特許文献１には、装置本体の側面部に握り部材（ハンドル）が架け渡されており、握り部材の両端部が、側面部に固定支持された回転軸部に対して前後方向に回転する構造が開示されている。回転軸部には、握り部材を所定の回転角度でロックする角度変更装置（ロック手段）が設けられている。握り部材の両端部には、回転軸部に対してスライドする左右両側の角度変更ボタンが設けられており、角度変更ボタンのピンが握り部材の溝部と係合することで、握り部材が装置本体の側面部に対してロックされている。また、左右両側の角度変更ボタンを押すことで、握り部材の溝部と角度変更ボタンのピンとの係合が解除され、装置本体の側面部に対して握り部材の角度を変更することができる。
【０００４】
下記特許文献２には、ハンドル（握り部材）の一端部と座席側壁の一方との間には、ハンドルを不使用姿勢側から使用姿勢側へ揺動したときにハンドルの姿勢を不使用姿勢側に戻す方向に付勢する付勢手段と、ハンドルを使用姿勢で拘束可能なロック手段と、を備えた構造が開示されている。
【０００５】
下記特許文献３には、支持軸の外周に複数の係止部が設けられる共に、ハンドル保持部に複数の係止部に選択的に係合する係合爪が設けられ、支持軸の回動位置により係合爪が係合する係止部を変更してハンドル（握り部材）が前後に移動調整される構造が開示されている。この構造では、係合爪を係止部に係合した状態にロックするロック部材（ロック手段）が、座席側壁にロック位置とアンロック位置とに移動可能に設けられている。
【先行技術文献】
【特許文献】
【０００６】
【特許文献１】特許４８７４８９８号公報
【特許文献２】特開２０１１−０８８５３４号公報
【特許文献３】特開２０１５−０５８８１６号公報
【発明の概要】
【発明が解決しようとする課題】
【０００７】
上記特許文献１〜３に記載の構造では、握り部材（ハンドル）のロックを解除する際には、握り部材の両端部のロック手段をそれぞれ操作するため、握り部材のロック解除を両手で行う必要がある。このため、握り部材のロック解除及び前後方向の移動を片手で行うことができず、片手での操作性を向上するうえで改善の余地がある。
【０００８】
本発明は、上記問題点に鑑みてなされたものであり、子供乗せ装置本体に対する握り部材のロック解除及び前後方向の移動を片手で行うことができる位置調整機構、子供乗せ装置及び二輪車を提供することを目的とする。
【課題を解決するための手段】
【０００９】
上記課題を解決するために、請求項１に記載の発明に係る位置調整機構は、子供乗せ装置本体の両サイドに立設された側面部に架け渡されると共に、前記側面部の前後方向に移動可能又は回転可能に支持される握り部材と、前記握り部材の両端部にそれぞれ設けられ、前記握り部材を前記側面部に対して移動又は回転しないようにロックする一対のロック手段と、前記握り部材に設けられ、一対の前記ロック手段のうち一方の前記ロック手段のロックを解除するロック解除部と、前記ロック解除部によるロック解除を他方の前記ロック手段に伝達する伝達手段と、を有する。
【００１０】
請求項１に記載の発明では、子供乗せ装置本体の両サイドの側面部に、握り部材が架け渡されており、握り部材が側面部の前後方向に移動可能又は回転可能に支持されている。握り部材の両端部には、一対のロック手段が設けられており、一対のロック手段により握り部材が側面部に対して移動又は回転しないようにロックされている。握り部材には、一対のロック手段のうち一方のロック手段のロックを解除するロック解除部が設けられており、ロック解除部によるロック解除が、伝達手段によって他方のロック手段に伝達される。これにより、片手でロック解除部を操作して、一方のロック手段のロックを解除することで、伝達手段により他方のロック手段のロックが解除されるため、握り部材が子供乗せ装置本体の側面部に対して前後方向に移動可能又は回転可能となる。このため、片手でのロック解除部の操作により、握り部材のロック解除及び握り部材の前後方向への移動又は回転を行うことができる。
【００１１】
請求項２に記載の発明は、請求項１に記載の発明において、前記ロック手段は、前記側面部及び前記握り部材のいずれか一方に設けられ、前記握り部材の移動又は回転方向に沿って配置された複数の被係止部と、前記側面部及び前記握り部材の他方に設けられ、前記複数の被係止部のいずれか１つに係止される係止部と、を備える。
【００１２】
請求項２に記載の発明では、側面部及び握り部材のいずれか一方には、握り部材の移動又は回転方向に沿って配置された複数の被係止部が設けられており、側面部及び握り部材の他方には、複数の被係止部のいずれか１つに係止される係止部が設けられている。これにより、係止部が複数の被係止部のいずれか１つに係止されることで、子供乗せ装置本体の側面部に対して握り部材がロックされる。このため、ロックが解除された状態で子供乗せ装置本体の側面部に対して握り部材を前後方向に移動又は回転させ、握り部材をロック手段によりロックすることで、握り部材の位置を調整することができる。
【００１３】
請求項３に記載の発明は、請求項２に記載の発明において、前記ロック解除部は、ロック解除操作により、前記係止部が前記複数の被係止部のいずれか１つに係止されたロックを解除する構成とされている。
【００１４】
請求項３に記載の発明では、ロック解除部のロック解除操作により、係止部が複数の被係止部のいずれか１つに係止されたロックが解除される。このため、片手でロック解除部のロック解除操作を行うことにより、係止部と複数の被係止部のいずれか１つとの係止が解除される。
【００１５】
請求項４に記載の発明は、請求項２又は請求項３に記載の発明において、前記握り部材には、前記係止部が前記複数の被係止部のいずれか１つに係止されるロック位置の方向に前記ロック解除部を付勢し、前記ロック解除部で前記係止部を固定させる付勢手段が設けられている。
【００１６】
請求項４に記載の発明では、付勢手段により、係止部が複数の被係止部のいずれか１つに係止されるロック位置の方向にロック解除部が付勢されており、ロック解除部で係止部が固定される。このため、係止部と複数の被係止部のいずれか１つとの係止が安定化する。
【００１７】
請求項５に記載の発明は、請求項３に記載の発明において、前記ロック解除部は、前記ロック手段のロック位置で前記係止部と接触して前記係止部を固定する固定部と、前記係止部が前記複数の被係止部から離脱する方向に移動することを許容する凹状部と、を備える。
【００１８】
請求項５に記載の発明では、ロック手段のロック位置では、ロック解除部の固定部が係止部と接触して係止部を固定する。また、ロック解除部の凹状部が係止部に位置することで、係止部が複数の被係止部から離脱する方向に移動することを許容する。このため、簡単な構成により、ロック解除部によるロック手段のロックとロック解除とを行うことができる。
【００１９】
請求項６に記載の発明は、請求項２から請求項５までのいずれか１項に記載の発明において、前記係止部は、前記複数の被係止部に係止される係止方向と交差する方向に沿って分割される２つの部材を備えており、前記２つの部材の内部に前記２つの部材を分割させる方向に押す弾性部材が配置されている。
【００２０】
請求項６に記載の発明では、係止部は、複数の被係止部に係止される係止方向と交差する方向に沿って２つの部材に分割されており、２つの部材の内部に配置された弾性部材により、２つの部材が分割させる方向に押される。このため、係止部は、２つの部材の内部の弾性部材が圧縮され、２つの部材が接触する（分割されない）ことで、係止部が複数の被係止部のいずれか１つに係止される。また、ロック手段のロック解除時には、弾性部材により２つの部材が分割されることで、係止部が複数の被係止部から離脱する方向に移動することが可能となる。
【００２１】
請求項７に記載の発明は、請求項６に記載の発明において、前記係止部は、前記ロック解除部の側に配置された第１部材と、前記ロック解除部と反対側に配置された第２部材と、に分割されると共に、前記第１部材に形成された第１係止部と、前記第２部材に形成された第２係止部と、を備え、前記被係止部は、前記第１係止部が係止される第１被係止部と、ロック時に前記第２係止部が係止されると共にロック解除時に前記第２係止部が仮止めされる第２被係止部と、を備える。
【００２２】
請求項７に記載の発明では、係止部は、ロック解除部の側に配置された第１部材と、ロック解除部と反対側に配置された第２部材と、に分割されている。ロック手段のロック時には、第１部材に形成された第１係止部が、第１被係止部に係止されており、第２部材に形成された第２係止部が、第２被係止部に係止されている。ロック解除部の操作によりロックが解除されると、弾性部材が伸びることで第１部材と第２部材とが分割されると共に、第１部材に形成された第１係止部が第１被係止部から離脱し、第２部材に形成された第２係止部が第２被係止部に仮止めされる。その際、弾性部材の圧縮により第２部材に形成された第２係止部が第２被係止部から離脱可能となる。これによって、ロック解除時に、第１被係止部及び第２被係止部に対する第１部材、第２部材の位置を安定させることができる。
【００２３】
請求項８に記載の発明は、請求項１から請求項７までのいずれか１項に記載の発明において、前記ロック解除部は、前記握り部材の長手方向の両端部にそれぞれ設けられており、前記伝達手段は、２つの前記ロック解除部を連結部で連結する構成とされている。
【００２４】
請求項８に記載の発明では、ロック解除部は、握り部材の長手方向の両端部にそれぞれ設けられており、伝達手段は、２つのロック解除部を連結部で連結する構成とされている。これによって、２つのロック解除部のうちの一方のロック解除部を片手で操作し、一方のロック手段のロックが解除されると、一方のロック解除部と連結部で連結された他方のロック解除部が連動し、他方のロック手段にロック解除が伝達される。このため、握り部材のロック解除及び前後方向の移動又は回転を片手で行うことができる。
【００２５】
請求項９に記載の発明に係る子供乗せ装置は、請求項１から請求項８までのいずれか１項に記載の位置調整機構を備えている。
【００２６】
請求項９に記載の発明では、片手での操作により、握り部材のロック解除及び握り部材の前後方向への移動又は回転を行うことができる。
【００２７】
請求項１０に記載の発明に係る二輪車は、二輪車本体に請求項９に記載の子供乗せ装置が取り付けられている。
【００２８】
請求項１０に記載の発明では、片手での操作により、握り部材のロック解除及び握り部材の前後方向への移動又は回転を行うことができる。
【発明の効果】
【００２９】
本発明によれば、子供乗せ装置本体に対する握り部材のロック解除及び前後方向の移動を片手で行うことができる。
【図面の簡単な説明】
【００３０】
【図１】（Ａ）は、本発明の第１実施形態である位置調整装置を備えた子供乗せ装置を前方側から見た状態で示す斜視図であり、（Ｂ）は、子供乗せ装置の側面図である。
【図２】（Ａ）は、図１（Ａ）に示す子供乗せ装置に用いられる握り部材の位置を変更した状態を示す斜視図であり、（Ｂ）は、図１（Ｂ）に示す子供乗せ装置に用いられる握り部材の位置を変更した状態を示す側面図である。
【図３】図１に示す位置調整装置を、握り部材の長手方向に沿って切断した状態で示す断面図であって、ロック装置がロックされた状態を示す図である。
【図４】（Ａ）は、ロック状態の位置調整装置を、握り部材の長手方向と直交する方向に沿って一部を切断した状態で示す半裁断面図であり、（Ｂ）は、握り部材の長手方向の一端部側の内部を示す斜視図である。
【図５】図３に示す位置調整装置に用いられる係止片を示す断面図である。
【図６】図３に示す位置調整装置に用いられるロック解除部を操作してロック装置のロックを解除した状態を示す断面図である。
【図７】（Ａ）は、図６に示すロック解除状態の位置調整装置を、握り部材の長手方向と直交する方向に沿って一部を切断した状態で示す半裁断面図であり、（Ｂ）は、握り部材の長手方向の一端部側の内部を示す斜視図である。
【図８】子供乗せ装置本体に対して握り部材を回転させる過程を示す断面図である。
【図９】（Ａ）は、図８に示す位置調整装置を、握り部材の長手方向と直交する方向に沿って一部を切断した状態で示す半裁断面図であり、（Ｂ）は、握り部材の長手方向の一端部側の内部を示す斜視図である。
【図１０】（Ａ）は、子供乗せ装置本体に対して握り部材を回転させる過程を示す半裁断面図であり、（Ｂ）は、握り部材の長手方向の一端部側の内部を示す斜視図である。
【図１１】（Ａ）は、子供乗せ装置本体に対して握り部材を回転させる過程を示す半裁断面図であり、（Ｂ）は、握り部材の長手方向の一端部側の内部を示す斜視図である。
【図１２】子供乗せ装置本体に対して握り部材を回転させる過程を示す半裁断面図である。
【図１３】子供乗せ装置本体に対して握り部材を回転させた後に、ロック装置がロックされた状態を示す半裁断面図である。
【図１４】本発明の第２実施形態である位置調整装置を備えた子供乗せ装置において、ロック状態の位置調整装置における握り部材の内部を示す斜視図である。
【図１５】図１４に示す位置調整装置に用いられる係止片を示す断面図である。
【発明を実施するための形態】
【００３１】
以下、本発明の実施の形態を図面に基づいて説明する。なお、図において適宜示される矢印ＵＰは、子供乗せ装置の上方側を示しており、矢印ＦＲは、子供乗せ装置の前方側を示しており、矢印Ｗは、子供乗せ装置の幅方向外側又は内側を示している。
【００３２】
〔第１実施形態〕
図１〜図１３を用いて、本発明の第１実施形態である位置調整機構を備えた子供乗せ装置について説明する。
【００３３】
図１（Ａ）には、本発明の第１実施形態である位置調整機構を備えた子供乗せ装置が前方側から見た斜視図にて示されており、図１（Ｂ）には、子供乗せ装置が側面図にて示されている。図２（Ａ）には、握り部材を前方側に回転させた子供乗せ装置が前方側から見た斜視図にて示されており、図２（Ｂ）には、握り部材を前方側に回転させた子供乗せ装置が側面図にて示されている。これらの図に示されるように、二輪車２は、略上下方向に沿って延在されるハンドルポスト（図示省略）の上部に連結されるハンドルバー４を備えている。ハンドルバー４は、略幅方向に沿って配置される下部バー４Ａと、下部バー４Ａの両端部から上方側に延びた側部バー４Ｂと、側部バー４Ｂの上端部から幅方向外側及び斜め後方側に延びた端部バー４Ｃと、を備えている。
【００３４】
子供乗せ装置１０は、ハンドルバー４の下部バー４Ａの上部に取付部６を介して取り付けられる子供乗せ装置本体（座席部）１２を備えている。子供乗せ装置本体１２は、子供が着席可能な座部１２Ａと、この座部１２Ａの後方部から上方斜め後方側に起立するように延びた背凭れ部１２Ｂと、この背凭れ部１２Ｂから座部１２Ａの両サイドを囲むように連続して立設された側面部１２Ｃと、両サイドの側面部１２Ｃの前方下側に掛け渡された前面部１２Ｅと、を備えている。座部１２Ａと背凭れ部１２Ｂと側面部１２Ｃと前面部１２Ｅは連続した湾曲面を形成するように一体的に設けられている。前面部１２Ｅと座部１２Ａとの間には、座部１２Ａに子供が着席したときに脚部が挿通される開口部１２Ｆが設けられている。子供乗せ装置本体１２の両サイドの側面部１２Ｃは、それぞれハンドルバー４の側部バー４Ｂに取付部７によって取り付けられている。
【００３５】
子供乗せ装置本体１２の両サイドの側面部１２Ｃには、座部１２Ａに着席した子供の前方側をガードする握り部材としてのハンドル部１４が架け渡されている。ハンドル部１４を設けることで、座部１２Ａに着席した子供がハンドル部１４を握って自身の身体を支え、子供に安心感を与えることができるようになっている。
【００３６】
子供乗せ装置本体１２の背凭れ部１２Ｂの内側面（前方側の面）の上部側には、背凭れ部１２Ｂの内側面と一部が重なり合うようにヘッドガード（ヘッドレスト）１６が設けられている。ヘッドガード１６は、座部１２Ａに着席した子供の頭部を保護するものである。ヘッドガード１６は、後面部から両サイドが前方側に突出した湾曲形状に形成されている。より具体的には、ヘッドガード１６は、背凭れ部１２Ｂの上下方向に沿って配置されたセンター部１６Ａと、センター部１６Ａから側面部１２Ｃ側に延びた左右の翼部１６Ｂと、を備えている。ヘッドガード１６は、背凭れ部１２Ｂに対して上下方向に移動して位置を調整できる構成とされている。これにより、ヘッドガード１６は、座部１２Ａに着席した子供の後頭部および側頭部を保護するようになっている。
【００３７】
座部１２Ａの前方側には、開口部１２Ｆと対向する位置に、子供の足が置載されるフットガード（フットレスト）１８が設けられている。座部１２Ａの前方下部には、前方側に向かって下り勾配となるように傾斜するベース部（図示省略）が設けられており、ベース部に沿ってフットガード１８が略上下方向に移動可能となっている。
【００３８】
図３には、ハンドル部１４の位置調整装置３０が、ハンドル部１４の長手方向に沿って切断した断面図にて示されている。図１〜図３に示されるように、ハンドル部１４は、正面視にて略逆Ｕ字状に形成されている。より具体的には、ハンドル部１４は、子供乗せ装置本体１２の幅方向に沿って配置された棒状の上側筒部１４Ａと、上側筒部１４Ａの長手方向の両端部から子供乗せ装置本体１２の側面部１２Ｃ側に延びた左右の側部１４Ｂと、を備えている。ハンドル部１４は、子供乗せ装置本体１２の側面部１２Ｃに前後方向に回転可能に支持されている（図１及び図２参照）。
【００３９】
図３に示されるように、子供乗せ装置１０には、子供乗せ装置本体１２の側面部１２Ｃ（図１及び図２参照）に対するハンドル部１４の位置（回転位置）を調整する位置調整装置３０が設けられている。位置調整装置３０は、ハンドル部１４の両端部にそれぞれ設けられた一対のロック手段としてのロック装置３２、３２を備えている。ロック装置３２、３２は、ハンドル部１４を子供乗せ装置本体１２の側面部１２Ｃに対して回転しないようにロックする構成とされている。また、位置調整装置３０は、ハンドル部１４の上側筒部１４Ａの両端部に設けられたロック解除部３４、３６を備えている。正面視にて左側のロック解除部３４は、一対のロック装置３２、３２のうち一方（正面視にて左側）のロック装置３２のロックを解除するものである。正面視にて右側のロック解除部３６は、一対のロック装置３２、３２のうち他方（正面視にて右側）のロック装置３２のロックを解除するものである。
【００４０】
さらに、位置調整装置３０は、ハンドル部１４の上側筒部１４Ａの内部に、ハンドル部１４の両端部のロック解除部３４とロック解除部３６とを連結する伝達手段としての連結部３８を備えている。連結部３８は、ロック解除部３４、３６のうちの一方のロック解除部（例えば正面視にて左側のロック解除部３４）によるロック解除を、他方のロック装置３２（例えば正面視にて右側のロック解除部３６のロック装置３２）に伝達するようになっている。この連結部３８の動作については後に説明する。
【００４１】
図４（Ａ）には、ロック状態の位置調整装置３０がハンドル部１４の一部を切断した半裁断面図にて示されており、図４（Ｂ）には、ハンドル部１４の長手方向の一端部側の内部が斜視図にて示されている。図３及び図４（Ａ）、（Ｂ）に示されるように、ハンドル部１４の両側の側部１４Ｂの先端部（側面部１２Ｃ側の先端部）には、上側筒部１４Ａとほぼ平行に配置される略円筒状の回転部１４Ｃが設けられている。回転部１４Ｃは、ハンドル部１４の上側筒部１４Ａ及び側部１４Ｂと一体的に形成されており、子供乗せ装置本体１２の側面部１２Ｃに対するハンドル部１４の前後方向への回転に伴って回転するようになっている。ロック装置３２は、回転部１４Ｃの内部に配置される軸部４０を備えている。軸部４０は、子供乗せ装置本体１２の側面部１２Ｃに固定されると共に回転部１４Ｃを回転可能に支持している。本実施形態では、軸部４０は、子供乗せ装置本体１２の側面部１２Ｃに締結具７０（図１及び図２参照）により固定されている。軸部４０及び回転部１４Ｃは、ハンドル部１４の幅方向両側で左右対称に形成されている（図３参照）。
【００４２】
図４（Ａ）、（Ｂ）に示されるように、軸部４０は、軸方向の一端側（子供乗せ装置本体１２の幅方向外側）に配置される大径部４０Ａと、軸方向の他端側（子供乗せ装置本体１２の幅方向内側）における大径部４０Ａと隣接する位置に配置される小径部４０Ｂと、を備えている。小径部４０Ｂの外周面（一般部）の外径は、大径部４０Ａの外周面（一般部）の外径よりも小さい。大径部４０Ａには、外周面（一般部）から半径方向内側に湾曲するように窪んだ複数の被係止部（第２被係止部）としての湾曲凹部４２Ａが設けられている。湾曲凹部４２Ａは、大径部４０Ａの周方向に沿って複数設けられている。湾曲凹部４２Ａの最も窪んだ部分の外径は、小径部４０Ｂの外周面（一般部）の外径よりも僅かに小さい。本実施形態では、湾曲凹部４２Ａは、大径部４０Ａの周方向に沿って波状となるように３つ設けられている。
【００４３】
軸部４０の小径部４０Ｂには、周方向（ハンドル部１４の回転部１４Ｃの回転方向）に沿って配置される複数の被係止部（第１被係止部）としての複数の凹部４２Ｂが設けられている。すなわち、複数の凹部４２Ｂは、小径部４０Ｂの外周面（一般部）から半径方向内側に凹状に窪んだ形状とされている。本実施形態では、凹部４２Ｂは、小径部４０Ｂの周方向に間隔をおいて３つ設けられている。
【００４４】
また、ロック装置３２は、ハンドル部１４の側部１４Ｂの内部に配置される係止部としての係止片４４を備えている。係止片４４は、細長い形状とされており、ハンドル部１４の幅方向両側で左右対称に形成されている（図３参照）。係止片４４は、複数の凹部４２Ｂに係止される係止方向と交差する方向に沿って分割される第１部材（２つの部材の一方）としての第１片４６と、第２部材（２つの部材の他方）としての第２片４８と、を備えている。言い換えると、係止片４４は、係止方向に対して交差（本実施形態では、ほぼ直交）する方向に沿って配置された分割位置で第１片４６と第２片４８とに分割されている。第１片４６は、ロック解除部３４又はロック解除部３６の側に配置されると共に凹部４２Ｂの側まで延在されており、第２片４８は、ロック解除部３４又はロック解除部３６に対して反対側の湾曲凹部４２Ａの側に配置されている。
【００４５】
より具体的には、図３〜図５に示されるように、第１片４６は、ロック解除部３４又はロック解除部３６の側に配置される上片部４６Ａと、上片部４６Ａの幅方向内側（ハンドル部１４の幅方向内側）の下部から小径部４０Ｂ側に延びた延設部４６Ｂと、を備えている。第１片４６は、上片部４６Ａの上端部にロック解除部３４又はロック解除部３６の側に突出する突起４６Ｃを備えている。突起４６Ｃは、正面視にて略半円状に湾曲する形状とされている。第１片４６は、延設部４６Ｂの下端部に長手方向外側に向かって突出すると共に、小径部４０Ｂの複数の凹部４２Ｂのいずれか１つに係止される係止部（第１係止部）としての凸部４６Ｄを備えている（図４参照）。第１片４６の凸部４６Ｄが小径部４０Ｂの複数の凹部４２Ｂのいずれか１つに係止されることで、ロック装置３２がロックされるようになっている。第１片４６は、上片部４６Ａの下面（延設部４６Ｂと隣接する位置）から上方側に凹状に窪んだ窪み部４６Ｅを備えている（図５参照）。
【００４６】
第２片４８は、長手方向の長さが第１片４６の長手方向の長さよりも短い。第２片４８は、第１片４６の延設部４６Ｂに沿って配置されている。第２片４８の上端部は、上片部４６Ａの下面と接触又は離間可能に配置されている。第２片４８の下端部には、係止部（第２係止部）としての湾曲凸部４８Ａが設けられている。第２片４８は、第２片４８の上端部が上片部４６Ａの下面と接触した状態（分割されていない状態）で、第２片４８の湾曲凸部４８Ａが延設部４６Ｂの下端部（凸部４６Ｄを含まない面）とほぼ同じ位置になるように構成されている。第２片４８の湾曲凸部４８Ａは、軸部４０の軸方向から見て周面が略半円状に湾曲する形状とされている。第２片４８の湾曲凸部４８Ａは、大径部４０Ａの湾曲凹部４２Ａの形状と対応する形状とされており、第２片４８の湾曲凸部４８Ａが、大径部４０Ａの湾曲凹部４２Ａに接触することで湾曲凹部４２Ａに係止（仮止め）されるようになっている（図４参照）。ロック装置３２のロック状態で（第１片４６と第２片４８が分割されない状態で）、第２片４８の湾曲凸部４８Ａが係止される湾曲凹部４２Ａは、第１片４６の凸部４６Ｄが係止される凹部４２Ｂよりも係止している部位の長さが短くなるように構成されている（図４参照）。言い換えると、ハンドル部１４の側面視にて、湾曲凹部４２Ａが湾曲凸部４８Ａを係止している部位の深さが、凹部４２Ｂが凸部４６Ｄを係止している部位の深さよりも浅くなるように構成されている。
【００４７】
図５に示されるように、第２片４８には、上面から下方側に凹状に窪んだ窪み部４８Ｂが形成されており、窪み部４８Ｂは、第１片４６の窪み部４６Ｅと対向する位置に配置されている。第１片４６の窪み部４６Ｅ及び第２片４８の窪み部４８Ｂには、第１片４６と第２片４８とを分割させる方向に押す弾性部材としてのスプリング５０が配置されている。スプリング５０の一端は、第１片４６の窪み部４６Ｅの底面に接触され、スプリング５０の他端は、第２片４８の窪み部４８Ｂの底面に接触されている。
【００４８】
図３に示されるように、ハンドル部１４の上側筒部１４Ａの両端部には、ロック解除部３４、３６をそれぞれ上側筒部１４Ａの軸方向に沿って移動可能に支持する第１内壁部５２Ａが設けられている。第１内壁部５２Ａの幅方向内側（ハンドル部１４の幅方向内側）には、段差部５２Ｂを介して第１内壁部５２Ａの内径よりも内径が小さい第２内壁部５２Ｃが設けられている。ロック解除部３４、３６は、それぞれ段差部５２Ｂに当たる位置まで移動可能とされている。第２内壁部５２Ｃの幅方向内側（ハンドル部１４の幅方向内側）には、段差部５２Ｄを介して第２内壁部５２Ｃの内径よりも内径が小さい第３内壁部５２Ｅが設けられている。上側筒部１４Ａの幅方向中間部には、第３内壁部５２Ｅの内径よりも内径が小さい第４内壁部５２Ｆが設けられている。ハンドル部１４の上側筒部１４Ａの両端部と側部１４Ｂとが繋がる部分は連通されており、係止片４４がロック解除部３４、３６側に露出している。
【００４９】
図３及び図４（Ｂ）に示されるように、ロック解除部３４、３６は、ハンドル部１４の幅方向両側で左右対称に形成されている。ロック解除部３４、３６は、第１内壁部５２Ａに対して軸方向に摺動する外周部５４Ａを備えている。また、ロック解除部３４、３６は、外周部５４Ａの係止片４４側に配置されると共に、外周部５４Ａから半径方向内側に窪んだ２つの凹状部５４Ｂを備えている。２つの凹状部５４Ｂは、ロック解除部３４、３６の軸方向に離れて配置されている。２つの凹状部５４Ｂは、第１片４６の凸部４６Ｄが複数の凹部４２Ｂから離脱する方向に移動することを許容すると共に、第２片４８の湾曲凸部４８Ａが複数の湾曲凹部４２Ａから離脱する方向に移動することを許容する構成とされている。ロック解除部３４、３６の２つの凹状部５４Ｂのいずれか一方が、係止片４４と対向する位置に移動したときには、第１片４６の突起４６Ｃが凹状部５４Ｂに入り込み、第１片４６と第２片４８とがスプリング５０（図５参照）の力によって分割されるようになっている。
【００５０】
さらに、ロック解除部３４、３６には、２つの凹状部５４Ｂの間に突出するように配置される固定部５４Ｃが設けられている。固定部５４Ｃは、ロック装置３２のロック位置（図３及び図４参照）で、係止片４４の第１片４６の突起４６Ｃと接触して係止片４４を固定する。固定部５４Ｃの外径は、外周部５４Ａの外径より僅かに小さく設定されている。固定部５４Ｃの表面は、第１片４６の突起４６Ｃを固定するために突起４６Ｃの湾曲表面に合わせて僅かに窪んだ形状とされている。
【００５１】
左右のロック解除部３４、３６の幅方向外側の端面は、操作ボタン５４Ｄとされており、操作ボタン５４Ｄが上側筒部１４Ａの両端部から露出している。ロック解除操作では、左右のロック解除部３４、３６のうちの一方の操作ボタン５４Ｄをハンドル部１４の上側筒部１４Ａの幅方向内側（図６に示す矢印Ａ方向）に押すことにより、一方の操作ボタン５４Ｄ側のロック装置３２のロックが解除されるようになっている。左右のロック解除部３４、３６の幅方向内側の端面５４Ｅと上側筒部１４Ａの段差部５２Ｄとの間には、ロック解除部３４、３６をロック位置の方向に付勢する付勢手段としてのスプリング５６が配置されている。すなわち、スプリング５６の一端は、ロック解除部３４、３６の幅方向内側の端面５４Ｅに接触し、スプリング５６の他端は、上側筒部１４Ａの段差部５２Ｄに接触している。本実施形態では、ロック装置３２のロック位置（図３及び図４参照）で、左右のスプリング５６は自然長とされており、ロック解除部３４、３６の固定部５４Ｃが係止片４４の第１片４６の突起４６Ｃと接触して係止片４４を固定する構成とされている。
【００５２】
左右のロック解除部３４、３６は、前述のように連結部３８で連結されており、連結部３８の両端部の周囲にスプリング５６が配置されている。
【００５３】
次に、本発明の位置調整装置３０を備えた子供乗せ装置１０の作用及び効果について説明する。
【００５４】
図３及び図４（Ａ）、（Ｂ）に示されるように、位置調整装置３０は、通常の状態では、ハンドル部１４の幅方向両側のロック解除部３４、３６が、左右両側のスプリング５６によりロック位置に保持されている。ロック位置では、ロック解除部３４、３６の固定部５４Ｃが係止片４４の第１片４６の突起４６Ｃと接触することにより、係止片４４が固定されている。この状態では、係止片４４の第１片４６の凸部４６Ｄが小径部４０Ｂの複数の凹部４２Ｂのいずれか１つに係止されることで、ロック装置３２がロックされている（図４（Ａ）、（Ｂ）参照）。また、係止片４４の第２片４８の湾曲凸部４８Ａ（図５参照）も、大径部４０Ａの湾曲凹部４２Ａに係止されている。その際、係止片４４の内部のスプリング５０（図５参照）は、圧縮されており、第２片４８の上端部と第１片４６の上片部４６Ａの下面は接触している（第１片４６と第２片４８とは分割状態となっていない）。
【００５５】
本実施形態では、第１片４６の凸部４６Ｄは、小径部４０Ｂの３つの凹部４２Ｂのうちの真ん中の凹部４２Ｂに係止されている。第２片４８の第２片４８の湾曲凸部４８Ａ（図５参照）も、大径部４０Ａの３つの湾曲凹部４２Ａのうちの真ん中の湾曲凹部４２Ａに係止されている。これにより、ハンドル部１４は、子供乗せ装置本体１２の側面部１２Ｃに対して前後の回転方向の中間部の位置で固定されている（図１参照）。
【００５６】
図６に示されるように、ハンドル部１４を子供乗せ装置本体１２の側面部１２Ｃに対して前後に回転させて位置を調整する際には、ロック解除部３４、３６のうちの一方の操作ボタン５４Ｄをハンドル部１４の上側筒部１４Ａに対して幅方向内側（矢印Ａ方向）に押す。その際、片手でロック解除部３４、３６のうちの一方の操作ボタン５４Ｄを矢印Ａ方向に押すことにより、片手でロック解除操作を行うことができる。図６に示されるように、例えば、正面視にて左側のロック解除部３４の操作ボタン５４Ｄをハンドル部１４の上側筒部１４Ａの幅方向内側（矢印Ａ方向）に押すと、ロック解除部３４の端面５４Ｅと接触するスプリング５６が圧縮され、ロック解除部３４の幅方向外側の凹状部５４Ｂが係止片４４と対向する位置に移動する。
【００５７】
その際、係止片４４の内部のスプリング５０が伸びることで、第１片４６の上端部の突起４６Ｃがロック解除部３４の凹状部５４Ｂ内に入り込み（突起４６Ｃが凹状部５４Ｂと接触し）、第１片４６と第２片４８とが分割された状態となる。すなわち、第２片４８に対して第１片４６がロック解除部３４の凹状部５４Ｂに入り込む方向に移動することにより、第１片４６の下端部の凸部４６Ｄが小径部４０Ｂの凹部４２Ｂから離脱される（図７（Ａ）、（Ｂ）参照）。なお、図７（Ａ）、（Ｂ）では、ロック解除部３６側が示されているが、係止片４４の状態は、ロック解除部３４側と同じである。
【００５８】
この状態では、第２片４８の湾曲凸部４８Ａは、大径部４０Ａの湾曲凹部４２Ａに接触することにより、湾曲凹部４２Ａに仮止めされている。第２片４８の湾曲凸部４８Ａは、係止片４４の内部のスプリング５０が縮むことにより、大径部４０Ａの湾曲凹部４２Ａから離脱可能となる（図７（Ａ）、（Ｂ）参照）。
【００５９】
一方、左側のロック解除部３４には、連結部３８により右側のロック解除部３６が連結されており、左側のロック解除部３４の矢印Ａ方向への移動に連動して右側のロック解除部３６がハンドル部１４の上側筒部１４Ａに対して幅方向外側に移動する（図６参照）。これにより、ロック解除部３６の端面５４Ｅがスプリング５６から離れると共に、ロック解除部３６の幅方向内側の凹状部５４Ｂが係止片４４と対向する位置に移動する。
【００６０】
その際、図７（Ａ）、（Ｂ）に示されるように、ロック解除部３６側の係止片４４の内部のスプリング５０が伸びることで、第１片４６の上端部の突起４６Ｃがロック解除部３６の凹状部５４Ｂ内に入り込み（突起４６Ｃが凹状部５４Ｂと接触し）、第１片４６と第２片４８とが分割された状態となる。すなわち、第２片４８に対して第１片４６がロック解除部３６の凹状部５４Ｂに入り込む方向に移動することにより、第１片４６の下端部の凸部４６Ｄが小径部４０Ｂの凹部４２Ｂから離脱される。
【００６１】
同様に、ロック解除部３６側の係止片４４では、第２片４８の湾曲凸部４８Ａは、大径部４０Ａの湾曲凹部４２Ａに接触することにより、湾曲凹部４２Ａに仮止めされている。第２片４８の湾曲凸部４８Ａは、係止片４４の内部のスプリング５０が縮むことにより、大径部４０Ａの湾曲凹部４２Ａから離脱可能となる。
【００６２】
このため、片手で一方のロック解除部３４をロック解除操作して、一方のロック装置３２のロックを解除することにより、連結部３８を介して他方のロック解除部３６が連動し、他方のロック装置３２にロック解除が伝達されることとなる。
【００６３】
図８及び図９に示されるように、この状態で、ハンドル部１４を子供乗せ装置本体１２の側面部１２Ｃに対して前後方向に回転させることにより、ハンドル部１４の位置を調整する。すなわち、片手でロック解除部３４を矢印Ａ方向に押した状態で、ハンドル部１４を子供乗せ装置本体１２の側面部１２Ｃに対して前後方向に回転させる。例えば、図９に示されるように、ハンドル部１４を子供乗せ装置本体１２の側面部１２Ｃ（図１参照）に対して後側に回転させると、係止片４４の内部のスプリング５０が縮むことにより（図８参照）、第２片４８の湾曲凸部４８Ａが大径部４０Ａの湾曲凹部４２Ａと摺動しながら、湾曲凹部４２Ａから離脱する方向に移動する。図１０に示されるように、ハンドル部１４を子供乗せ装置本体１２の側面部１２Ｃに対してさらに後側に回転させると、係止片４４の内部のスプリング５０がさらに縮むことにより、第２片４８の湾曲凸部４８Ａが大径部４０Ａの湾曲凹部４２Ａから離脱される。
【００６４】
図１１に示されるように、ハンドル部１４を子供乗せ装置本体１２の側面部１２Ｃに対してさらに後側に回転させると、係止片４４の内部のスプリング５０が図１０の状態から伸びることにより、第２片４８の湾曲凸部４８Ａが大径部４０Ａの次の湾曲凹部４２Ａ（ロック解除前の湾曲凹部４２Ａとは別の湾曲凹部４２Ａ）と摺動しながら移動する。そして、図１２に示されるように、ハンドル部１４を子供乗せ装置本体１２の側面部１２Ｃに対してさらに後側に回転させると、係止片４４の内部のスプリング５０が伸びることにより、第２片４８の湾曲凸部４８Ａが大径部４０Ａの次の湾曲凹部４２Ａと接触して係止（仮止め）される。その際、第１片４６の下端部の凸部４６Ｄが小径部４０Ｂの次の凹部４２Ｂ（ロック解除前の凹部４２Ｂとは別の凹部４２Ｂ）と対向する。
【００６５】
その際、ロック解除部３４の矢印Ａ方向の押圧を解除することで、ロック解除部３４がスプリング５６に押されてロック解除部３４の固定部５４Ｃが係止片４４と接触するロック位置に移動する（図３参照）。ロック解除部３４の移動によりロック解除部３６が連動し、ロック解除部３６の固定部５４Ｃが係止片４４と接触するロック位置に移動する（図３参照）。これにより、左右両側の係止片４４の内部のスプリング５０（図５参照）が圧縮されることにより、係止片４４の第１片４６の凸部４６Ｄが小径部４０Ｂの凹部４２Ｂに係止されることで、左右両側のロック装置３２がロックされる（図１３参照）。
【００６６】
なお、図１２に示す第１片４６の下端部の凸部４６Ｄが小径部４０Ｂの凹部４２Ｂ（ロック解除前の凹部４２Ｂとは別の凹部４２Ｂ）と対向する前に、ロック解除部３４の矢印Ａ方向の押圧を解除してもよい。これにより、ハンドル部１４が子供乗せ装置本体１２の側面部１２Ｃに対して僅かに移動して、第１片４６の下端部の凸部４６Ｄが小径部４０Ｂの凹部４２Ｂと係止されることで、ロック装置３２がロックされる。
【００６７】
このような位置調整装置３０を備えた子供乗せ装置１０では、ハンドル部１４の両端部にロック解除部３４、３６を備えており、一方のロック解除部３４（又はロック解除部３６）を片手で操作して、一方のロック装置３２のロックを解除することにより、他方のロック解除部３６（又はロック解除部３４）側のロック装置３２にロック解除が伝達される。すなわち、一方のロック解除部３４（又はロック解除部３６）を片手で操作して、一方のロック装置３２のロックを解除することにより、連結部３８を介して他方のロック解除部３６（又はロック解除部３４）が連動する。これにより、他方のロック解除部３６（又はロック解除部３４）側のロック装置３２のロックが解除される。このため、片手でのロック解除部３４又はロック解除部３６の操作により、ハンドル部１４のロック解除、及び子供乗せ装置本体１２に対するハンドル部１４の前後方向への回転を行うことができる。
【００６８】
また、位置調整装置３０では、スプリング５６によりロック位置にロック解除部３４、３６が移動しており、ロック解除部３４、３６で係止片４４が固定されている。このため、係止片４４の第１片４６の凸部４６Ｄが複数の凹部４２Ｂのいずれか１つに安定して係止されると共に、第２片４８の湾曲凸部４８Ａが複数の湾曲凹部４２Ａのいずれか１つに安定して係止される
【００６９】
また、ロック解除部３４、３６は、固定部５４Ｃと凹状部５４Ｂとを備えており、ロック装置３２のロック位置では、ロック解除部３４、３６の固定部５４Ｃが係止片４４と接触して係止片４４を固定する。また、ロック解除部３４、３６の凹状部５４Ｂが係止片４４に位置することで、係止片４４の係止が解除される方向に係止片４４の第１片４６と第２片４８が移動可能となる。このため、簡単な構成により、ロック解除部３４、３６によるロック装置３２のロックと、ロック装置３２のロック解除を行うことができる。
【００７０】
係止片４４は、複数の凹部４２Ｂに係止される係止方向と交差する方向に沿って第１片４６と第２片４８に分割されており、第１片４６と第２片４８の内部に配置されたスプリング５０により、第１片４６と第２片４８は分割させる方向に押される。このため、係止片４４は、第１片４６と第２片４８の内部のスプリング５０が圧縮され、第１片４６と第２片４８の分割部が接触する（分割されない）ことで、係止片４４の凸部４６Ｄが複数の凹部４２Ｂのいずれか１つに係止される。これと共に、第２片４８の湾曲凸部４８Ａが複数の湾曲凹部４２Ａのいずれか１つに係止される。
【００７１】
ロック装置３２のロック解除時には、スプリング５０が伸びることにより第１片４６と第２片４８とが分割されることで、係止片４４の第１片４６の凸部４６Ｄが凹部４２Ｂから離脱する方向に移動すると共に、第２片４８の湾曲凸部４８Ａが湾曲凹部４２Ａから離脱する方向に移動可能となる。すなわち、第１片４６の凸部４６Ｄが凹部４２Ｂから離脱し、スプリング５０の圧縮により第２片４８の湾曲凸部４８Ａが湾曲凹部４２Ａから離脱可能となる。これによって、ロック解除時に、凹部４２Ｂ及び湾曲凹部４２Ａに対する第１片４６、第２片４８の位置を安定させることができる。
【００７２】
また、ロック解除部３４、３６は、ハンドル部１４の長手方向の両端部にそれぞれ設けられており、２つのロック解除部３４、３６を連結部３８で連結している。これによって、２つのロック解除部３４、３６のうちの一方のロック解除部３４（又はロック解除部３６）を片手で操作することにより、一方のロック装置３２のロックが解除されると、一方のロック解除部３４（又はロック解除部３６）に連結部３８で連結された他方のロック解除部３６（又はロック解除部３４）が連動し、他方のロック装置３２にロック解除が伝達される。このため、ハンドル部１４のロック解除及び前後方向の回転を片手で行うことができる。
【００７３】
〔第２実施形態〕
次に、図１４及び図１５を用いて、本発明の第２実施形態である位置調整機構について説明する。なお、前述した第１実施形態と同一構成部分については、同一番号を付してその説明を省略する。
【００７４】
図１４には、子供乗せ装置１０に適用される第２実施形態の位置調整装置８０に用いられるハンドル部１４の内部が斜視図にて示されている。図１４に示されるように、子供乗せ装置１０には、子供乗せ装置本体１２の側面部１２Ｃ（図１参照）に対するハンドル部１４の位置（回転位置）を調整する位置調整装置８０が設けられている。位置調整装置８０は、ハンドル部１４の両端部にそれぞれ設けられた一対のロック手段としてのロック装置８２、８２を備えている。また、位置調整装置８０は、ハンドル部１４の上側筒部１４Ａの内部に、ハンドル部１４の両端部のロック解除部３４とロック解除部３６とを連結する伝達手段としての連結部１００を備えている。連結部１００は、ロック解除部３４、３６のうちの一方のロック解除部（例えば正面視にて左側のロック解除部３４）によるロック装置８２のロック解除を、他方のロック装置８２（例えば正面視にて右側のロック解除部３６のロック装置８２）に伝達するようになっている。
【００７５】
ロック装置８２は、ハンドル部１４の回転部１４Ｃの内部に配置される軸部８４を備えている。軸部８４は、子供乗せ装置本体１２の側面部１２Ｃ（図１参照）に固定されると共に回転部１４Ｃを回転可能に支持している。軸部８４は、ハンドル部１４の幅方向外側に配置される周面の一部に形成されると共に外径が小さい第１周面部８４Ａと、ハンドル部１４の幅方向内側における第１周面部８４Ａと隣接する位置に形成されると共に第１周面部８４Ａよりも外径が大きい第２周面部８４Ｂと、を備えている。第１周面部８４Ａには、第１周面部８４Ａから半径方向内側に湾曲するように窪んだ複数の被係止部（第２被係止部）としての湾曲凹部８６Ａが設けられている。湾曲凹部８６Ａは、第１周面部８４Ａの周方向に沿って複数設けられている。本実施形態では、図示を省略するが、湾曲凹部８６Ａは、第１周面部８４Ａの周方向に沿って波状に窪むように３つ設けられている。
【００７６】
軸部８４の第２周面部８４Ｂには、周方向（ハンドル部１４の回転部１４Ｃの回転方向）に沿って配置される複数の被係止部（第１被係止部）としての複数の凹部８６Ｂが設けられている。複数の凹部８６Ｂは、第２周面部８４Ｂから半径方向内側に凹状に窪んだ形状とされている。本実施形態では、凹部８６Ｂは、第２周面部８４Ｂの周方向に間隔をおいて３つ設けられている。湾曲凹部８６Ａの最も窪んだ部分の外径は、凹部８６Ｂの底面の外径よりも僅かに小さい。
【００７７】
また、ロック装置８２は、ハンドル部１４の側部１４Ｂの内部に配置される係止部としての係止片９０を備えている。係止片９０は、細長い形状とされており、ハンドル部１４の幅方向両側で左右対称に形成されている。係止片９０は、複数の凹部８６Ｂに係止される係止方向と交差する方向に沿って分割される第１部材（２つの部材の一方）としての第１片９２と、第２部材（２つの部材の他方）としての第２片９４と、を備えている。言い換えると、係止片９０は、係止方向に対して交差（本実施形態では、ほぼ直交）する方向に沿って配置された分割位置で第１片９２と第２片９４とに分割されている。第１片９２は、ロック解除部３４又はロック解除部３６の側に配置されると共に凹部８６Ｂの側に延在されており、第２片９４は、ロック解除部３４又はロック解除部３６に対して反対側の湾曲凹部８６Ａの側に配置されている。
【００７８】
図１４及び図１５に示されるように、第１片９２は、ロック解除部３４又はロック解除部３６の側に配置される上片部９２Ａと、上片部９２Ａの幅方向内側（ハンドル部１４の幅方向内側）の下部から凹部８６Ｂの側に延びた延設部９２Ｂと、を備えている。延設部９２Ｂには、上片部９２Ａと隣接する位置に幅方向内側（ハンドル部１４の幅方向内側）に凹んだ凹状部９２Ｄが形成されている。第１片９２は、上片部９２Ａの上端部にロック解除部３４又はロック解除部３６の側に突出する湾曲形状の突起９２Ｃを備えている。また、第１片９２は、延設部９２Ｂの下端部に長手方向外側及び幅方向内側に向かって突出すると共に、複数の凹部８６Ｂのいずれか１つに係止される係止部（第１係止部）としての凸部９２Ｅを備えている。第１片９２の凸部９２Ｅが第２周面部８４Ｂの複数の凹部８６Ｂのいずれか１つに係止されることで、ロック装置８２がロックされるようになっている（図１４参照）。第１片９２は、上片部９２Ａの下面（凹状部９２Ｄに面する位置）から上方側に切り欠かれた窪み部９２Ｆを備えている（図１５参照）。
【００７９】
第２片９４は、長手方向の長さが第１片９２の長手方向の長さよりも短い。第２片９４は、第１片９２の延設部９２Ｂに沿って配置されている。第２片９４の上端部には、長手方向の中間部９４Ａから幅方向内側（ハンドル部１４の幅方向内側）に突出すると共に第１片９２の凹状部９２Ｄに挿入される突出部９４Ｂを備えている。第２片９４の長手方向における突出部９４Ｂの長さは、第１片９２の長手方向における凹状部９２Ｄの長さよりも小さい。このため、第２片９４の突出部９４Ｂは、第１片９２の凹状部９２Ｄを長手方向（上下方向）に移動可能に配置されている。これにより、第２片９４の突出部９４Ｂの上面は、上片部９２Ａの下面と接触又は離間可能とされている。
【００８０】
第２片９４の下端部には、係止部（第２係止部）としての湾曲凸部９４Ｃが設けられている。第２片９４は、突出部９４Ｂの上面が上片部９２Ａの下面と接触した状態（分割されていない状態）で、第２片９４の湾曲凸部９４Ｃが第１片９２の凸部９２Ｅとほぼ同じ位置になるように構成されている。第２片９４の湾曲凸部９４Ｃは、軸部８４の軸方向から見て周面が略半円状に湾曲する形状とされている。第２片９４の湾曲凸部９４Ｃは、第１周面部８４Ａの湾曲凹部８６Ａの形状と対応する形状とされており、第２片９４の湾曲凸部９４Ｃが、第１周面部８４Ａの湾曲凹部８６Ａに係止（仮止め）されるようになっている（図１４参照）。ロック装置８２のロック状態で（第１片９２と第２片９４が分割されない状態で）、第２片９４の湾曲凸部９４Ｃが係止される湾曲凹部８６Ａは、第１片９２の凸部９２Ｅが係止される凹部８６Ｂよりも係止している部位の長さが長くなるように構成されている（図１４参照）。言い換えると、湾曲凹部８６Ａが湾曲凸部９４Ｃを係止している部位の第１周面部８４Ａからの深さが、凹部８６Ｂが凸部９２Ｅを係止している部位の第２周面部８４Ｂからの深さよりも深くなるように構成されている。
【００８１】
第２片９４には、突出部９４Ｂの上面から下方側に切り欠かれた窪み部９４Ｄが形成されており、窪み部９４Ｄは、第１片９２の窪み部９２Ｆと対向する位置に配置されている。第１片９２の窪み部９２Ｆ及び第２片９４の窪み部９４Ｄには、第１片９２と第２片９４とを分割させる方向に押す弾性部材としてのスプリング９６が配置されている。スプリング９６の一端は、第１片９２の窪み部９２Ｆの底面に接触され、スプリング９６の他端は、第２片９４の窪み部９４Ｄの底面に接触されている。
【００８２】
このような位置調整装置３０は、図１４に示されるように、通常の状態では、ハンドル部１４の幅方向両側のロック解除部３４、３６が、左右両側のスプリング５６によりロック位置に保持されている。ロック位置では、ロック解除部３４、３６の固定部５４Ｃが係止片９０の第１片９２の突起９２Ｃと接触することにより、係止片９０が固定されている。この状態では、係止片９０の第１片９２の凸部９２Ｅが第２周面部８４Ｂの複数の凹部８６Ｂのいずれか１つに係止されることで、ロック装置８２がロックされている。また、係止片９０の第２片９４の湾曲凸部９４Ｃ（図１５参照）も、第１周面部８４Ａの湾曲凹部８６Ａに係止されている。その際、係止片９０の内部のスプリング９６（図１５参照）は、圧縮されており、第２片９４の突出部９４Ｂの上面と第１片９２の上片部９２Ａの下面は接触している（第１片９２と第２片９４とは分割状態となっていない）。
【００８３】
一方、ハンドル部１４を子供乗せ装置本体１２（図１参照）に対して前後に回転させて位置を調整する際には、ロック解除部３４、３６のうちの一方の操作ボタン５４Ｄをハンドル部１４の幅方向内側に押す。図示を省略するが、例えば、ロック解除部３４の操作ボタン５４Ｄをハンドル部１４の幅方向内側に押すと、ロック解除部３４の端面５４Ｅと接触するスプリング５６が圧縮され、ロック解除部３４の幅方向外側の凹状部５４Ｂが係止片９０と対向する位置に移動する。これと共に、連結部１００を介してロック解除部３６の幅方向内側の凹状部５４Ｂが係止片９０と対向する位置に移動する。
【００８４】
その際、係止片９０の内部のスプリング９６（図１５参照）が伸びることで、第１片９２の上端部の突起９２Ｃがロック解除部３４の凹状部５４Ｂ内に入り込み、第１片９２と第２片９４とが分割された状態となる。これにより、第１片９２の下端部の凸部９２Ｅが凹部８６Ｂから離脱される。この状態では、第２片９４の湾曲凸部９４Ｃは、湾曲凹部８６Ａに接触することにより、湾曲凹部８６Ａに仮止めされている。ハンドル部１４を子供乗せ装置本体１２（図１参照）に対して回転させると、第２片９４の湾曲凸部９４Ｃは、係止片９０の内部のスプリング９６が縮むことにより、湾曲凹部８６Ａから離脱可能となる。
【００８５】
このような位置調整装置８０を備えた子供乗せ装置１０では、ハンドル部１４の両端部にロック解除部３４、３６を備えており、一方のロック解除部３４（又はロック解除部３６）を片手で操作して、一方のロック装置８２のロックを解除することにより、他方のロック解除部３６（又はロック解除部３４）側のロック装置８２にロック解除が伝達される。このため、片手でのロック解除部３４又はロック解除部３６の操作により、ハンドル部１４のロック解除、及び子供乗せ装置本体１２に対するハンドル部１４の前後方向への回転を行うことができる。
【００８６】
また、ロック装置８２のロック解除時には、スプリング９６が伸びることにより第１片９２と第２片９４とが分割されることで、係止片９０の第１片９２の凸部９２Ｅが凹部８６Ｂから離脱する方向に移動する。その際、第２片９４の湾曲凸部９４Ｃは湾曲凹部８６Ａに接触しているが、スプリング９６の圧縮により第２片９４の湾曲凸部９４Ｃが湾曲凹部８６Ａから離脱可能となる。このため、ロック解除時に、凹部８６Ｂ及び湾曲凹部８６Ａに対する第１片９２、第２片９４の位置を安定させることができる。
【００８７】
なお、第１及び第２実施形態では、係止片４４、９０の凸部４６Ｄ、９２Ｅが複数の凹部４２Ｂ、８６Ｂのいずれか１つに係止される構成であるが、本発明はこの構成に限定されるものではない。例えば、係止片４４、９０の凹部が複数の凸部のいずれか１つに係止される構成でもよい。
【００８８】
また、第１及び第２実施形態では、子供乗せ装置本体１２の側面部１２Ｃの前後方向に回転可能に支持されるハンドル部１４が設けられ、ハンドル部１４の前後方向の回転位置を調整する位置調整装置３０、８０が設けられているが、本発明は、この構成に限定されるものではない。例えば、子供乗せ装置本体１２の側面部１２Ｃの前後方向に移動可能に支持されるハンドル部（握り部材）を備え、ハンドル部の前後方向の移動位置を調整する位置調整装置を備える構成でもよい。
【００８９】
また、第１及び第２実施形態では、ハンドル部１４の両端部に２つのロック解除部３４、３６が設けられているが、本発明はこれに限定するものではない。例えば、ハンドル部１４の両端部以外の部分に２つのロック解除部を設けてもよい。また、２つのロック解除部を設ける必要はなく、例えば、１つのロック解除部を設け、１つのロック解除部のロック解除操作によりハンドル部１４の幅方向両側のロック装置のロックを解除する構成でもよい。
【００９０】
また、第１及び第２実施形態では、係止片４４、９０が第１片４６、９２と第２片４８、９４に分割されると共に、第１片４６、９２に形成された凸部４６Ｄ、９２Ｅが複数の凹部４２Ｂ、８６Ｂのいずれか１つに係止され、第２片４６、９４の湾曲凸部４８Ａ、９４Ｃが複数の湾曲凹部４２Ａ、８６Ａのいずれか１つに係止される構成であるが、本発明は、この構成に限定されるものではない。例えば、係止片４４、９０が第１片と第２片に分割されると共に、ロック解除部と反対側に配置される第２片のみに係止部（凸部など）を設け、この係止部（凸部など）を複数の被係止部（凹部など）のいずれか１つに係止させる構成でもよい。
【００９１】
また、第１及び第２実施形態では、子供乗せ装置本体１２の側面部１２Ｃに複数の被係止部（凹部など）が設けられ、ハンドル部１４に係止部（係止片４４、９０）が設けられる構成であるが、本発明は、この構成に限定されるものではない。例えば、子供乗せ装置本体１２の側面部１２Ｃに係止部を備え、ハンドル部１４に複数の被係止部が設けられる構成でもよい。
【符号の説明】
【００９２】
２     二輪車
１０   子供乗せ装置
１２   子供乗せ装置本体
１２Ｃ 側面部
１４   ハンドル部（握り部材）
３０   位置調整装置（位置調整機構）
３２   ロック装置（ロック手段）
３４   ロック解除部
３６   ロック解除部
３８   連結部（伝達手段）
４０   軸部
４０Ａ 大径部
４０Ｂ 小径部
４２Ａ 湾曲凹部（第２被係止部、被係止部）
４２Ｂ 凹部（第１被係止部、被係止部）
４４   係止片（係止部）
４６   第１片（第１部材、２つの部材の一方）
４６Ｄ 凸部（第１係止部、係止部）
４８   第２片（第２部材、２つの部材の他方）
４８Ａ 湾曲凸部（第２係止部、係止部）
５０   スプリング（弾性部材）
５４Ｂ 凹状部
５４Ｃ 固定部
５６   スプリング（付勢手段）
８０   位置調整装置（位置調整機構）
８２   ロック装置（ロック手段）
８４   軸部
８４Ａ 第１周面部
８４Ｂ 第２周面部
８６Ａ 湾曲凹部（第２被係止部、被係止部）
８６Ｂ 凹部（第１被係止部、被係止部）
９０   係止片（係止部）
９２   第１片（第１部材、２つの部材の一方）
９２Ｅ 凸部（第１係止部、係止部）
９４   第２片（第２部材、２つの部材の他方）
９４Ｃ 湾曲凸部（第２係止部、係止部）
９６   スプリング（弾性部材）
１００ 連結部（伝達手段）
【図１】
0006618397.tif 000002
【図２】
0006618397.tif 000003
【図３】
0006618397.tif 000004
【図４】
0006618397.tif 000005
【図５】
0006618397.tif 000006
【図６】
0006618397.tif 000007
【図７】
0006618397.tif 000008
【図８】
0006618397.tif 000009
【図９】
0006618397.tif 000010
【図１０】
0006618397.tif 000011
【図１１】
0006618397.tif 000012
【図１２】
0006618397.tif 000013
【図１３】
0006618397.tif 000014
【図１４】
0006618397.tif 000015
【図１５】
0006618397.tif 000016